【手続補正書】
【提出日】平成20年11月28日(2008.11.28)
【手続補正１】
【補正対象書類名】特許請求の範囲
【補正対象項目名】全文
【補正方法】変更
【補正の内容】
【特許請求の範囲】
【請求項１】
第１のガンマ補正部を含む電子デバイスであって、前記第１のガンマ補正部は、前記電子デバイスが製造された後で前記第１のガンマ補正部に対するガンマ関数を変更できるように構成された少なくとも１つのタップを含むことを特徴とする電子デバイス。
【請求項２】
放射線放出部品のアレイと、第１のガンマ補正部とを含む電子デバイスを使用する処理方法であって：
第１の期間中に前記アレイを動作させるステップであって、前記第１の期間中に前記第１のガンマ補正部に対して第１のガンマ関数が使用されるステップと；
前記第１のガンマ関数を、前記第１のガンマ関数とは異なる第２のガンマ関数に変更するステップと；
第２の期間中に前記アレイを動作させるステップであって、前記第２の期間中に前記第１のガンマ補正部に対して前記第２のガンマ関数が使用されるステップと
を含むことを特徴とする処理方法。
【請求項３】
放射線放出部品のアレイと第１のガンマ補正部とを含む電子デバイスを使用するためのコードを有するデータ処理システム読み取り可能な記録媒体であって、前記コードは、前記データ処理システム読み取り可能な記録媒体内に組み込まれ、前記コードが：
第１の期間中に前記アレイを動作させるための命令であって、前記第１の期間中に前記第１のガンマ補正部に対して第１のガンマ関数が使用される命令と；
前記第１のガンマ関数を、前記第１のガンマ関数とは異なる第２のガンマ関数に変更するための命令と；
第２の期間中に前記アレイを動作させるための命令であって、前記第２の期間中に前記第１のガンマ補正部に対して第２のガンマ関数が使用される命令と
を含むことを特徴とするデータ処理システム読み取り可能な記録媒体。
【手続補正２】
【補正対象書類名】明細書
【補正対象項目名】０１１２
【補正方法】変更
【補正の内容】
【０１１２】
明確にするため、別々の実施態様の状況で、前述または後述される本発明の特定の特徴は、１つの実施態様において組み合わせて提供することもできることを理解されたい。逆に、簡潔にするため、１つの実施態様の状況で説明される本発明の種々の特徴を、別々に提供したり、あらゆる小さな組み合わせで提供したりすることもできる。さらに、ある範囲において記載される値への言及は、その範囲内にあるすべての値を含んでいる。
以下に、本発明の好ましい態様を示す。
［１］  第１のガンマ補正部を含む電子デバイスであって、前記第１のガンマ補正部は、前記電子デバイスが製造された後で前記第１のガンマ補正部に対するガンマ関数を変更できるように構成された少なくとも１つのタップを含むことを特徴とする電子デバイス。
［２］  前記少なくとも１つのタップが、前記電子デバイスのエンドユーザーによって前記タップにおける信号を変更できるように構成されていることを特徴とする［１］に記載の電子デバイス。
［３］  前記少なくとも１つのタップ上の信号が自動的に変更されるように構成されていることを特徴とする［１］に記載の電子デバイス。
［４］  前記第１のガンマ補正部が、第１のタップおよび第２のタップをさらに含み：
前記第１のタップは、前記第１のガンマ補正部に対する第１の出力値に対して第１の最低値を提供し；
前記第２のタップは、前記第１のガンマ補正部に対する前記第１の出力値に対して第１の最高値を提供し；
前記少なくとも１つのタップは、前記第１のガンマ補正部に対する前記第１の出力値に対して第１の中間値を提供する第３のタップを含み：
前記第１の中間値は、前記第１の最低値と前記第１の最高値との間にあり；
前記第３のタップは、前記電子デバイスが製造された後で前記第１の中間値を変更できるように構成されていることを特徴とする［１］に記載の電子デバイス。
［５］  前記少なくとも１つのタップが、前記第１の出力値に対して追加の第１の中間値を提供する第４のタップをさらに含み；
前記追加の第１の中間値は、前記第１の最低値と前記第３のタップの前記第１の中間値との間にあるか、または前記第３のタップの前記第１の中間値と前記第１の最高値との間にあり；
前記第４のタップは、前記電子デバイスが製造された後で前記追加の第１の中間値を変更できるように構成されていることを特徴とする［４］に記載の電子デバイス。
［６］  前記電子デバイスが、第２のガンマ補正部および第３のガンマ補正部を含み；
前記第２のガンマ補正部が、第４のタップ、第５のタップ、および第６のタップを含み：
前記第４のタップは、第２の出力値に対して第２の最低値を提供し；
前記第５のタップは、前記第２の出力値に対して第２の最高値を提供し；
前記第６のタップは、前記第２の出力値に対して第２の中間値を提供し：
前記第２の中間値は、前記第２の最低値と前記第２の最高値との間にあり；
前記第６のタップは、前記電子デバイスが製造された後で前記第２の中間値を変更できるように構成されており；
前記第３のガンマ補正部が、第７のタップ、第８のタップ、および第９のタップを含み：
前記第７のタップは、第３の出力値に対して第３の最低値を提供し；
前記第８のタップは、前記第３の出力値に対して第３の最高値を提供し；
前記第９のタップは、前記第３の出力値に対して第３の中間値を提供し：
前記第３の中間値は、前記第３の最低値と前記第３の最高値との間にあり；
前記第９のタップは、前記電子デバイスが製造された後で前記第３の中間値を変更できるように構成されていることを特徴とする［４］に記載の電子デバイス。
［７］  前記第１のガンマ補正部に対応する第１の有機活性層と；
前記第２のガンマ補正部に対応する第２の有機活性層と； 
前記第３のガンマ補正部に対応する第３の有機活性層とをさらに含み；
前記第２の有機活性層は前記第１の有機活性層とは異なり；
前記第３の有機活性層は、前記第１の有機活性層とも前記第２の有機活性層とも異なることを特徴とする［６］に記載の電子デバイス。
［８］  フルカラーＯＬＥＤディスプレイの一部である放射線放出部品のアレイをさらに含むことを特徴とする［７］に記載の電子デバイス。
［９］  放射線放出部品のアレイと、第１のガンマ補正部とを含む電子デバイスを使用する処理方法であって：
第１の期間中に前記アレイを動作させるステップであって、前記第１の期間中に前記第１のガンマ補正部に対して第１のガンマ関数が使用されるステップと；
前記第１のガンマ関数を、前記第１のガンマ関数とは異なる第２のガンマ関数に変更するステップと；
第２の期間中に前記アレイを動作させるステップであって、前記第２の期間中に前記第１のガンマ補正部に対して前記第２のガンマ関数が使用されるステップと
を含むことを特徴とする処理方法。
［１０］  前記第１のガンマ関数を前記第２のガンマ関数に変更するステップが、前記電子デバイスのエンドユーザーによって行われることを特徴とする［９］に記載の方法。
［１１］  前記第１のガンマ関数を前記第２のガンマ関数に変更するステップが、前記電子デバイスによって自動的に行われることを特徴とする［９］に記載の方法。
［１２］  放射線放出部品のアレイと第１のガンマ補正部とを含む電子デバイスを使用するためのコードを有するデータ処理システム読み取り可能な記録媒体であって、前記コードは、前記データ処理システム読み取り可能な記録媒体内に組み込まれ、前記コードが：
第１の期間中に前記アレイを動作させるための命令であって、前記第１の期間中に前記第１のガンマ補正部に対して第１のガンマ関数が使用される命令と；
前記第１のガンマ関数を、前記第１のガンマ関数とは異なる第２のガンマ関数に変更するための命令と；
第２の期間中に前記アレイを動作させるための命令であって、前記第２の期間中に前記第１のガンマ補正部に対して第２のガンマ関数が使用される命令と
を含むことを特徴とするデータ処理システム読み取り可能な記録媒体。
［１３］  前記第１のガンマ関数を第２のガンマ関数に変更するための前記命令が、前記第１のガンマ補正部に対する最低値、前記第１のガンマ補正部に対する最高値、前記第１のガンマ補正部に対するガンマ値、またはそれらの組み合わせを変更するための命令を含むことを特徴とする［１２］に記載のデータ処理システム読み取り可能な記録媒体。
［１４］  前記第１のガンマ補正部が：
第１の出力値に対して第１の最低値を提供する第１のタップと；
前記第１の出力値に対して第１の最高値を提供する第２のタップと；
前記第１の出力値に対して第１の中間値を提供する第３のタップとを含み、前記第１の中間値が、前記第１の最低値と前記第１の最高値との間にあり；
前記第１のガンマ関数を前記第２のガンマ関数に変更するための前記命令が、前記第１の中間値を変更するための命令を含むことを特徴とする［１２］に記載のデータ処理システム読み取り可能な記録媒体。
［１５］  前記第１のガンマ補正部が、前記第１の出力値に対して追加の第１の中間値を提供する第４のタップをさらに含み；
前記追加の第１の中間値は、前記第１の最低値と前記第３のタップの前記第１の中間値との間にあるか、または前記第３のタップの前記第１の中間値と前記第１の最高値との間にあることを特徴とする［１４］に記載のデータ処理システム読み取り可能な記録媒体。
［１６］  前記第１のガンマ関数を前記第２のガンマ関数に変更するための前記命令が、前記追加の第１の中間値を変更するための命令をさらに含むことを特徴とする［１５］に記載のデータ処理システム読み取り可能な記録媒体。
［１７］  前記電子デバイスが、第２のガンマ補正部および第３のガンマ補正部をさらに含み；
前記第１の期間中に、前記第２のガンマ補正部に対して第３のガンマ関数、および前記第３のガンマ補正部に対して第４のガンマ関数が使用され；
前記第２の期間中に、前記第２のガンマ補正部に対して前記第３のガンマ関数、および前記第３のガンマ補正部に対して前記第４のガンマ関数が使用されることを特徴とする［１２］に記載のデータ処理システム読み取り可能な記録媒体。
［１８］  前記電子デバイスが、第２のガンマ補正部および第３のガンマ補正部をさらに含み；
前記第１の期間中に、前記第２のガンマ補正部に対して第３のガンマ関数、および前記第３のガンマ補正部に対して第４のガンマ関数が使用され；
前記第１のガンマ関数を前記第２のガンマ関数に変更するための前記命令が、前記第２の期間中に前記アレイを動作させるための命令の前に、前記第３のガンマ関数を第５のガンマ関数に変更するための命令、前記第４のガンマ関数を第６のガンマ関数に変更するための命令、またはその両方を実行するための命令をさらに含むことを特徴とする［１２］に記載のデータ処理システム読み取り可能な記録媒体。
［１９］  前記電子デバイスが、第２のガンマ補正部および第３のガンマ補正部をさらに含み；
前記アレイが：
前記第１のガンマ補正部に対応する第１の有機活性層と；
前記第２のガンマ補正部に対応する第２の有機活性層と；
前記第３のガンマ補正部に対応する第３の有機活性層とを含み、
前記第２の有機活性層は前記第１の有機活性層とは異なり；
前記第３の有機活性層は、前記第１の有機活性層とも前記第２の有機活性層とも異なることを特徴とする［１２］に記載のデータ処理システム読み取り可能な記録媒体。
［２０］  前記アレイがフルカラーＯＬＥＤディスプレイの一部であることを特徴とする［１９］に記載のデータ処理システム可読記憶媒体。